(57)【要約】【課題】薄板状の外部メモリを収容可能な携帯端末装置において、筐体の薄型化を図ると共に、収容した外部メモリの脱落を防止できるようにする。【解決手段】一方の主面に操作部を有する第１の筐体２と、一方の主面に表示部を有する第２の筐体３とが連結手段５を介して開閉可能に連結され、前記操作部は閉状態にて前記第２の筐体３により覆われ且つ開状態にて外側に露出させることができると共に、前記表示部は、閉状態及び開状態のいずれの状態でも外側に露出させることが可能な携帯端末装置であって、前記第２の筐体３に、他方の主面３ｄ側に開口するメモリ収容部３１と、該メモリ収容部３１の開口部を開閉自在とすると共に、前記メモリ収容部３１内に薄板状の外部メモリ５１，５３を収容した状態に保持する蓋体３３とを設けたことを特徴とする携帯端末装置を提供する。【選択図】      図３
2004328596.tif 000002
【特許請求の範囲】
【請求項１】
一方の主面に操作部を有する第１の筐体と、一方の主面に表示部を有する第２の筐体とが連結手段を介して開閉可能に連結され、前記操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第２の筐体に、他方の主面側に開口するメモリ収容部と、該メモリ収容部の開口部を開閉自在とすると共に、前記メモリ収容部内に薄板状の外部メモリを収容した状態に保持する蓋体とを設けたことを特徴とする携帯端末装置。
【請求項２】
前記メモリ収容部が、形状の異なる複数種類の前記外部メモリをそれぞれ収容する複数の収容空間から構成されていることを特徴とする請求項１に記載の携帯端末装置。
【請求項３】
前記複数の収容空間の少なくとも一部が、相互に重複して形成されていることを特徴とする請求項２に記載の携帯端末装置。
【発明の詳細な説明】
【０００１】
【発明の属する技術分野】
この発明は、薄板状に形成された外部メモリを収容できる携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
従来、薄板状の外部メモリを収容する携帯端末装置としては、筐体の厚さ方向に沿う端面に外部メモリ挿入用のスロットを設けたものがある（例えば、特許文献１参照。）。この携帯端末装置に外部メモリを搭載する際には、スロットに外部メモリを差し込んで筐体内部に収容する。これにより、携帯端末装置と外部メモリとの間で情報の伝達が行われるようになっている。
なお、一般に携帯端末装置は、鞄や衣服のポケット等に収容して携行することを目的としているため、その小型化、薄型化が要求されている。
【０００３】
【特許文献１】
特開２００２−３２７１５号公報
【０００４】
【発明が解決しようとする課題】
しかしながら、上記従来の携帯端末装置においては、筐体内部に外部メモリを保持するための機構が設けられているため、筐体の厚さ寸法が大きくなり、薄型化の要求に反するという問題があった。また、スロットの挿入口が常に外方に露出しているため、携帯端末装置を携行したり使用する際に、外部からの衝撃等によって外部メモリが脱落する虞があった。
この発明は、上述した事情に鑑みてなされたものであって、筐体の薄型化を図ると共に、外部メモリの脱落を防止できる携帯端末装置の提供を目的としている。
【０００５】
【課題を解決するための手段】
上記課題を解決するために、この発明は以下の手段を提案している。
請求項１に係る発明は、一方の主面に操作部を有する第１の筐体と、一方の主面に表示部を有する第２の筐体とが連結手段を介して開閉可能に連結され、前記操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第２の筐体に、他方の主面側に開口するメモリ収容部と、該メモリ収容部の開口部を開閉自在とすると共に、前記メモリ収容部内に薄板状の外部メモリを収容した状態に保持する蓋体とを設けたことを特徴とする。
【０００６】
この発明に係る携帯端末装置によれば、外部メモリをメモリ収容部に装着する際には、２つの筐体を互いに開いて第２の筐体の他方の主面を外方に露出させ、蓋体を取り外してメモリ収容部を外方に開口させる。その後、外部メモリをメモリ収容部内に収容して、蓋体によりメモリ収容部の開口部を閉塞する。
この携帯端末装置は、２つの筐体を互いに重ね合わせて閉じた状態において、第２の筐体の他方の主面側に設けられたメモリ収容部及び蓋体が、第１の筐体により覆い隠されて外方に露出しないため、外部からの衝撃等によって外部メモリが脱落すること防止できる。また、外部メモリを第２の筐体内に保持するための機構が、蓋体および第１の筐体により構成されているため、第２の筐体内に外部メモリを保持するための機構が簡略化され、メモリ収容部の形成による第２の筐体の厚さ寸法増加を抑制することができる。
さらに、２つの筐体を開いた状態においては、２つの筐体の一方の主面側にそれぞれ配された操作部及び表示部を同時に視認できるようになっているため、２つの筐体の他方の主面を視認する必要がない。したがって、これら筐体の他方の主面側にメモリ収容部を設けても外観意匠上の不具合が発生しない。
なお、本発明において、筐体の一方の主面とは、筐体を構成する表面の中で最も大きな面積を有する表面のことをいい、筐体の他方の主面とは、一方の主面に次いで大きな面積を有する表面のことをいうものとする。
【０００７】
請求項２に係る発明は、請求項１に記載の携帯端末装置において、前記メモリ収容部が、形状の異なる複数種類の前記外部メモリをそれぞれ収容する複数の収容空間から構成されていることを特徴とする。
この発明に係る携帯端末装置によれば、携帯端末装置に複数の規格の外部メモリが搭載可能となるため、必要に応じた規格の外部メモリを選択して使用することができ、他の端末装置との間で情報伝達を容易に行うことができる。すなわち、例えば、外部メモリを使用して他の端末装置との間で各種の情報伝達を行う場合に、外部メモリの規格を他の端末装置に装着可能なものに合わせて選択することができる。
【０００８】
請求項３に係る発明は、請求項２に記載の携帯端末装置において、前記複数の収容空間の少なくとも一部が相互に重複して形成されていることを特徴とする。
この発明に係る携帯端末装置によれば、メモリ収容部内に一の規格の外部メモリを収容している状態から他の規格の外部メモリをメモリ収容部内に収容させる場合には、一の規格の外部メモリをメモリ収容部から取り出し、その後に他の規格の外部メモリをメモリ収容部内に収容する。このように各規格の外部メモリを収容する複数の収容空間を相互に重複させることにより、メモリ収容部容積を小さく形成することができるため、携帯端末装置の小型化を図ることができる。
【０００９】
【発明の実施の形態】
図１から図５は本発明に係る一実施形態を示しており、ここで説明する実施の形態は、この発明を携帯電話機に適用した場合のものである。
この実施の形態に係る携帯電話機（携帯端末装置）１は、図１に示すように、第１の筐体２と、この第１の筐体２の厚さ方向に重ね合わせ可能な第２の筐体３と、これら２つの筐体２，３を、その厚さ方向に延びる第１の軸線（基準軸線）Ｌ１を中心にＡＢ方向へ回動可能、且つ第１の軸線Ｌ１に直交する第２の軸線Ｌ２を中心にＣＤ方向へ相互に揺動可能に連結する連結手段５とを備えている。なお、連結手段５は、２つの筐体２，３の各端部２ｂ，３ｂ（以下、基端部２ｂ，３ｂと呼ぶ。）同士を連結するようになっている。
【００１０】
第１の軸線Ｌ１方向に面する第１の筐体２の一方の主面２ａには、通話キー、終話キー等の各種押圧可能な操作キーからなる操作部７が設けられている。また、主面２ａのうち、基端部２ｂの反対側に位置する第１の筐体２の先端部２ｃには、マイクロフォン部９が設けられている。これら操作部７およびマイクロフォン部９は、第１、第２の筐体２，３を互いに重ね合わせて閉じた状態において、第２の筐体３により覆い隠されるようになっている。
また、この第１の筐体２の内部には、バッテリー１１及び第１の回路基板１３が配されている。バッテリー１１は、携帯電話機１の動作に要する電力を供給するものであり、主面２ａと反対側に位置する第１の筐体２の他方の主面２ｄ側に出し入れ自在となっている。このバッテリー１１は、第１の回路基板１３と電気的に接続されている。第１の回路基板１３は、操作部７及びマイクロフォン部９とが電気的に接続されている。また、この第１の回路基板１３には、通話機能やメール機能等の各種機能を制御するための各種電子部品（不図示）が搭載されている。
【００１１】
第１の筐体２の主面２ａと同方向に向く第２の筐体３の一方の主面３ａには、各種の情報を表示する表示部１５が設けられている。また、この主面３ａのうち、基端部３ｃの反対側に位置する第２の筐体３の先端部（他端部）３ｂには、前述のマイクロフォン部９と共に通話に使用するスピーカー部１７が設けられている。これら表示部１５及びスピーカー部１７は、２つの筐体２，３を開いた状態から基準軸線Ｌ１を中心に相互に１８０°回動して、図２に示すように、重ね合わせて閉じても外方に露出している。
これら表示部１５及びスピーカー部１７は、第２の筐体３の内部に配された第２の回路基板１９に電気的に接続されている。なお、第１の回路基板１３と同様に第２の回路基板１９にも、各種機能を制御するための各種電子部品（不図示）が搭載されている。
【００１２】
各筐体２，３に設けられた第１及び第２の回路基板１３，１９は、２つの筐体２，３の内部空間を相互に連通する連結手段５の連通孔５ａを介して、複数のケーブル２１により相互に電気的に接続されている。このケーブル２１は、２つの回路基板１３，１９間において電気信号による情報伝達を行うと共に、第１及び第２の回路基板１３，１９を介してバッテリー１１の電力を第２の筐体３に搭載された表示部１５、スピーカー部１７、各種電子部品等に供給するものである。
【００１３】
主面３ａと反対側に位置する第２の筐体３の他方の主面３ｄには、主面３ｄ側に開口するメモリ収容部３１と、メモリ収容部３１の開口部を閉塞する蓋体３３とが設けられている。
蓋体３３は、図３に示すように、平面視略矩形の薄板状に形成されており、第２の筐体３の主面３ｄから厚さ方向に窪んで形成された平面視略矩形状の凹部３５を埋めるように構成されている。この蓋体３３は、その厚さ寸法が凹部３５の深さ寸法と等しくなるように形成されており、蓋体３３を凹部３５に挿入した状態において、外方に露出する蓋体３３の表面３３ａが第２の筐体３の主面３ｄと共に同一平面を形成するようになっている。
また、この蓋体３３は、第２の筐体３の先端部３ｃから基端部３ｂ側に向けて、スライドして凹部３５に挿入するように構成されている。すなわち、蓋体３３には、その幅方向の両側部から突出する突出部３７が形成されている。また、凹部３５の側壁面３５ａには、蓋体３３の突出部３７と係合する軌道３９が第２の筐体３の長手方向にわたって形成されており、蓋体３３がこの軌道３９の形成方向に沿って移動可能となっている。
なお、突出部３７が軌道３９に係合している状態においては、蓋体３３が第２の筐体３に対してその厚さ方向に移動できないようになっている。また、この状態においては、蓋体３３の厚さ方向の裏面３３ｂが、凹部３５の底面３５ｂに当接している。
【００１４】
メモリ収容部３１は、携帯電話機１との間で情報伝達を行う第１及び第２の外部メモリ５１，５３を交換して収容するように構成されており、凹部３５の底面３５ｂから第２の筐体３の厚さ方向にさらに窪んで形成された第１及び第２の凹部４１，４３とを備えている。
第１及び第２の外部メモリ５１，５３は、相互に異なる形状を有している。すなわち、第１の外部メモリ５１は、平面視略矩形の薄板状に形成されており、その厚さ方向の表面５１ａに携帯電話機１と電気的に接続するための接続端子５２が設けられている。また、第２の外部メモリ５３は、正方形に近い平面視略矩形の薄板状に形成されており、第１の外部メモリ５１と同様に、その厚さ方向の表面５３ａに携帯電話機１と接続するための接続端子５４が設けられている。
なお、第２の外部メモリ５３は、第１の外部メモリ５１と比較して長さ寸法及び厚さ寸法が小さく、幅寸法が大きく形成されている。
【００１５】
第１の凹部４１は、第１の外部メモリ５１を収容するものであり、平面視略矩形状に形成されている。すなわち、第２の筐体３の長手方向に沿う第１の凹部４１の長さ寸法、及び、長手方向に直交する第２の筐体３の幅方向に沿う第１の凹部４１の幅寸法は、第１の外部メモリ５１の各寸法と略一致している。したがって、第１の外部メモリ５１を第１の凹部４１に収容した状態においては、第１の外部メモリ５１が、第２の筐体３に対してその主面３ｄに沿う方向に移動できないようになっている。
また、凹部３５の底面３５ｂから第１の凹部４１の底面４１ａまでの深さ寸法は、第１の外部メモリ５１の厚さ寸法に略一致している。したがって、図４に示すように、第１の外部メモリ５１の表面５１ａを第１の凹部４１の底面４１ａに当接させた状態においては、第１の外部メモリ５１の裏面５１ｂが、凹部３５の底面３５ｂと共に略同一平面を形成することになる。
この第１の凹部４１により第１の外部メモリ５１を収容する収容空間が構成されている。
【００１６】
図３に示すように、第２の凹部４３は、第２の外部メモリ５３を収容するものであり、正方形に近い平面視略矩形状に形成されている。すなわち、第２の凹部４３の長さ寸法及び幅寸法は、第２の外部メモリ５３と略一致しており、第２の外部メモリ５３を第２の凹部４３に収容した状態においては、第１の外部メモリ５１と同様に、第２の外部メモリ５３が、第２の筐体３に対してその主面３ｄに沿う方向に移動できないようになっている。
また、凹部３５の底面３５ｂから第２の凹部４３の底面４３ａまでの深さ寸法は、第２の外部メモリ５３の厚さ寸法に略一致している。したがって、図５に示すように、第２の外部メモリ５３の表面５３ａを第２の凹部４３の底面４３ａに当接させた状態においては、第２の外部メモリ５３の裏面５３ｂが、凹部３５の底面３５ｂと共に略同一平面を形成することになる。
この第２の凹部４３により第２の外部メモリ５３を収容する収容空間が構成されている。
【００１７】
なお、図３に示すように、これら２つの外部メモリ５１，５３をそれぞれ収容する収容空間の一部は、相互に重複して形成されている。すなわち、第１の外部メモリ５１の収容空間のうち、第２の筐体３の先端部３ｃ側に位置する部分と、第２の外部メモリ５３の収容空間のうち、第２の筐体３の幅方向中央部に位置する部分とが相互に重複して形成されている。したがって、第２の凹部４３は、実際には第２の筐体３の先端部３ｃ側に位置する第１の凹部４１のうち、側壁面４１ｂから外方に延びて形成される一対の段部から構成されている。
【００１８】
第２の筐体３の基端部３ｂ側に位置する第１の凹部４１の底面４１ａには、第１の外部メモリ５１の接続端子５２と電気的に接続させる外部接続端子４５が突出して設けられている。この外部接続端子４５は、第１の凹部４１に第１の外部メモリ５１を収容した状態において、第１の外部メモリ５１に付勢されて接触するようになっている。
また、第２の筐体３の先端部３ｃ側に位置する第１の凹部４１の底面４１ａには、第２の外部メモリ５３の接続端子５４と電気的に接続させる外部接続端子４７が突出して設けられている。この外部接続端子４７は、第２の凹部４３に第２の外部メモリ５３を収容した状態において、第２の外部メモリ５３に付勢されて接触するようになっている。
なお、これら２つの外部接続端子４５，４７は、第２の筐体３の厚さ方向に押圧された際に弾性変形して第２の筐体３の内部に没入するようになっている。
【００１９】
なお、以上のように構成された２つの筐体２，３を、図２に示すように、相互に重ね合わせて閉じた状態においては、第１の筐体２の主面２ａと第２の筐体３の主面３ｄとの間に微小隙間が形成されている。これは、２つの筐体２，３を第１の軸線Ｌ１を中心に相互に開閉する際に、第２の筐体３が主面２ａを擦って操作部７が傷つくことを防止するためである。
【００２０】
以上のように構成された携帯電話機１に２つの外部メモリ１５，５３の着脱方法について説明する。
例えば第１の外部メモリ５１を携帯電話機１に装着する場合には、はじめに、図２に示すように、２つの筐体２，３を互いに重ね合わせて閉じた状態から、図１に示すように、第２の筐体３を第１の筐体２に対して第１の軸線Ｌ１を中心に１８０°回動させて、２つの筐体２，３を相互に開き、第２の筐体３の主面３ｄを外方に露出させた状態とする。次いで、図３（ａ）に示すように、蓋体３３を第２の筐体３の長手方向に移動させて取り外し、メモリ収容部３１を外方に露出させる。
そして、図４に示すように、第１の外部メモリ５１を第１の凹部４１に収容し、蓋体３３を取り付けてメモリ収容部３１の開口部を閉塞する。この状態においては、第１の外部メモリ５１の表面５１ａ及び裏面５１ｂが、第１の凹部４１の底面４１ａ及び蓋体３３の裏面３３ｂにそれぞれ当接すると共に、外部接続端子４５が第１の外部メモリ４１の接続端子５２と接触する。これにより、携帯電話機１と第１の外部メモリ５１とが電気的に接続され、携帯電話機１と第１の外部メモリ５１との間で情報伝達を行うことができる。
【００２１】
また、第１の凹部４１に収容した第１の外部メモリ５１に変えて、形状の異なる第２の外部メモリ５３を装着する際には、図３（ａ）に示すように、２つの筐体２，３を相互に開いた状態において蓋体３３を取り外し、第１の外部メモリ５１を第１の凹部４１から取り出す。その後に、図５に示すように、第２の外部メモリ５３を第２の凹部４３に収容し、蓋体３３によりメモリ収容部３１の開口部を閉塞する。
この状態においては、第２の外部メモリ５３の表面５３ａ及び裏面５３ｂが、第２の凹部４３の底面４３ａ及び蓋体３３の裏面３３ｂにそれぞれ当接すると共に、外部接続端子４７が第２の外部メモリ５３の接続端子５４と接触する。これにより、携帯電話機１と第２の外部メモリ５３とが電気的に接続され、携帯電話機１と第２の外部メモリ５３との間で情報伝達を行うことができる。
【００２２】
なお、この携帯電話機１を鞄や衣服のポケットに収容して携行する場合には、図２に示すように、２つの筐体２，３を互いに重ね合わせて閉じた状態とする。この状態においては、表示部１５が外方に露出しているため、２つの筐体２，３を相互に回動して開くことなく、表示部１５に表示される各種情報を視認することもできる。また、この状態においては、第２の筐体３の主面３ｄ側に設けられたメモリ収容部３１及び蓋体３３が外方に露出しないため、外部からの衝撃によって、メモリ収容部３１に収容された第１の外部メモリ５１若しくは第２の外部メモリ５３が脱落することがない。
【００２３】
なお、この携帯電話機１において操作部７を操作する場合には、図１に示すように、第２の筐体３を第１の筐体２に対して第１の軸線Ｌ１を中心に１８０°回動させて、２つの筐体２，３を相互に開く。この状態においては、２つの筐体２，３の主面２ａ，３ａが略同一方向に面しているため、これら主面２ａ，３ａに設けられた操作部７及び表示部１５を同時に視認することができる。この際には、第１及び第２の筐体２，３の主面２ａ，３ａのみを視認するため、他方の主面２ｄ，３ｄ側を視認することはない。
【００２４】
上記のように、この携帯電話機１によれば、２つの筐体２，３を重ね合わせて閉じた状態においては、第２の筐体３に設けられたメモリ収容部３１が第１の筐体２により覆い隠されるため、外部メモリの脱落を容易に防止できる。
また、第１の外部メモリ５１若しくは第２の外部メモリ５３の脱落を防止する機構が、蓋体３３及び携帯電話機１を構成する第１の筐体２のみにより構成されているため、第２の筐体３の厚さ寸法の増加を抑制して、携帯電話機１の薄型化を図ることができる。
【００２５】
さらに、携帯電話機１に形状の異なる２つの外部メモリ５１，５３をそれぞれ搭載できるため、２つの外部メモリ５１，５３から必要に応じて選択し、パーソナルコンピュータ等の他の端末装置との間で情報伝達を容易に行うことができる。すなわち、例えば、２つの外部メモリ５１，５３を使用して他の端末装置との間で各種の情報伝達を行う場合に、２つの外部メモリ５１，５３から他の端末装置に装着可能なものを選択することができる。
また、規格の異なる２種類の外部メモリ５１，５３をそれぞれ収容する収容空間の一部が相互に重複しているため、メモリ収容部３１の容積を小さく形成して携帯電話機１の小型化を図ることができる。
【００２６】
さらに、２つの筐体２，３を互いに回動して開いた状態においては、２つの筐体２，３の主面２ａ，３ａに配された操作部７及び表示部１５を同時に視認できるため、この状態において第２の筐体３の主面３ｄを視認する必要がない。また、第２の筐体３の主面３ｄは、２つの筐体２，３を重ね合わせて閉じた状態において第１の筐体２により覆い隠されるため、第２の筐体３の主面３ｄ側に開口するメモリ収容部３１を設けても良好な外観意匠を保持できる。
【００２７】
なお、上記の実施形態においては、蓋体３３は、スライドさせて取り付けるように構成されるとしたが、これに限ることはなく、少なくともメモリ収容部３１の開口部を閉塞し、この閉塞状態を保持できるように構成されていればよい。
また、第１及び第２の外部メモリ５１，５３を収容する２つの収容空間は、相互に重複して形成されるとしたが、第２の筐体３の小型化を考慮しない場合には、互いに独立して形成されるとしても構わない。すなわち、第１及び第２の外部メモリ５１，５３を同時に収容できるように、第１及び第２の凹部４１，４３を形成しても構わない。
さらに、メモリ収容部３１は、２つの外部メモリ５１，５３を交換して収容可能に構成されるとしたが、これに限ることはなく、３つ以上の外部メモリを収容可能に構成されるとしても良い。
【００２８】
また、連結手段５により２つの筐体２，３を第１及び第２の軸線Ｌ１，Ｌ２を中心に相互にそれぞれ回動及び揺動可能に連結するとしたが、これに限ることはなく、少なくとも第１の軸線Ｌ１を中心に回動可能に連結していればよい。
さらに、操作部７を第１の筐体２の主面２ａに設け、表示部１５を第２の筐体３の主面３ａに設けるとしたが、これに限ることはなく、操作部を第２の筐体３の主面３ａに設け、表示部を第１の筐体２の主面２ａに設けるとしても構わない。
【００２９】
また、携帯電話機１に限ることはなく、ＰＤＡやノートパソコンのように、２つの筐体を連結手段により互いに回動可能、かつ開閉自在に連結した携帯端末装置であればよい。
以上、本発明の実施形態について図面を参照して詳述したが、具体的な構成はこの実施形態に限られるものではなく、本発明の要旨を逸脱しない範囲の設計変更等も含まれる。
【００３０】
【発明の効果】
以上説明したように、請求項１の発明によれば、２つの筐体を重ね合わせて閉じた状態においては、第２の筐体に設けられたメモリ収容部が第１の筐体により覆い隠されるため、外部メモリの脱落を容易に防止できる。また、外部メモリを第２の筐体内に保持するための機構が、蓋体および第１の筐体により構成されているため、第２の筐体の厚さ寸法の増加を抑制して、携帯端末装置の薄型化を図ることができる。
さらに、携帯端末装置を使用する際に視認しない第２の筐体の他方の主面側にメモリ収容部を設け、２つの筐体を重ね合わせて閉じた状態において第１の筐体により覆い隠されているため、良好な外観意匠を保持できる。
【００３１】
請求項２の発明によれば、携帯端末装置に複数の規格の外部メモリが搭載可能となるため、外部メモリによる他の端末装置との間の情報伝達を容易に行うことができる。
【００３２】
請求項３の発明によれば、形状の異なる複数の規格の外部メモリをそれぞれ収容する複数の収容空間を相互に重複させることにより、メモリ収容部の容積を小さく形成して携帯端末装置の小型化を図ることができる。
【図面の簡単な説明】
【図１】この発明の一実施形態に係る携帯電話機の第１、第２の筐体を相互に開いた状態を示しており、（ａ）は、概略平面図であり、（ｂ）は、概略断面図である。
【図２】図１の携帯電話機において、第１、第２の筐体を相互に閉じた状態を示しており、（ａ）は、概略平面図であり、（ｂ）は、概略断面図である。
【図３】図１の携帯電話機において、（ａ）は、第１の外部メモリ又は第２の外部メモリをメモリ収容部に収容する前の状態を示す斜視図であり、（ｂ）は、蓋体のみを取り付けた状態を示す（ａ）のＣ−Ｃ矢視断面図である。
【図４】図１の携帯電話機において、第１の外部メモリをメモリ収容部に収容した状態を示す拡大断面図である。
【図５】図１の携帯電話機において、第２の外部メモリをメモリ収容部に収容した状態を示す拡大断面図である。
【符号の説明】
１  携帯電話機（携帯端末装置）
２  第１の筐体
２ａ，３ａ  一方の主面
３ｄ  他方の主面
３  第２の筐体
５  連結手段
７  操作部
１５  表示部
３１  メモリ収容部
３３  蓋体
５１  第１の外部メモリ
５３  第２の外部メモリ
【図１】
2004328596.tif 000003
【図２】
2004328596.tif 000004
【図３】
2004328596.tif 000005
【図４】
2004328596.tif 000006
【図５】
2004328596.tif 000007